(57)【要約】【課題】簡単な構成の人感センサを提供する。【解決手段】人感センサ16は、人感センサ部20、スイッチ部22、通信部23および制御部24を備える。人感センサ部20は、人体を検知する。スイッチ部22は、負荷の動作状態を切り換える。通信部23は、無線によって通信する。制御部24は、通信部23によって人感センサ部20の検知信号を送信させ、通信部23によって受信する制御信号に応じてスイッチ部22を切り換え動作させる。【選択図】図１
2019176204.tif 000002
【特許請求の範囲】
【請求項１】
人体を検知する人感センサ部と；
負荷の動作状態を切り換えるスイッチ部と；
無線によって通信する通信部と；
前記通信部によって前記人感センサ部の検知信号を送信させ、前記通信部によって受信する制御信号に応じて前記スイッチ部を切り換え動作させる制御部と；
を具備することを特徴とする人感センサ。
【請求項２】
周囲の照度を検知する照度センサ部を具備し、
前記制御部は、前記通信部から前記人感センサ部の検知信号および前記照度センサ部の検知信号を送信させる
ことを特徴とする請求項１記載の人感センサ。
【請求項３】
請求項１または２記載の人感センサと；
無線によって前記人感センサと通信するとともに、前記人感センサからの検知信号の受信に応じて動作する動作機能が設定され、前記人感センサからの検知信号の受信時に設定されている動作機能に従って動作する制御装置と；
を具備することを特徴とする人感制御システム。
【請求項４】
前記制御装置は、前記人感センサからの検知信号の受信時に前記スイッチ部を切り換え動作させる制御信号を送信する動作機能を有する
ことを特徴とする請求項３記載の人感制御システム。
【発明の詳細な説明】
【技術分野】
【０００１】
本発明の実施形態は、人体を検知する人感センサ、およびこの人感センサを用いた人感制御システムに関する。
【背景技術】
【０００２】
従来、例えば、人体を検知し、照明などの負荷を自動的にオン・オフするのに人感センサが用いられている。
【０００３】
人感センサは、人体を検知する人感センサ部、および人感センサ部による人体の検知に基づいて負荷をオン・オフするスイッチ部を備えている。
【０００４】
人感センサは、製品単体で、必要な動作をすべて行えるように多くの機能を備えている。また、これら多くの機能を設定するために設定スイッチなどの多くの設定機構も備えている。
【０００５】
このように、人感センサは、製品単体で多くの機能を行うように構成され、それら多くの機能を行うことが可能な制御部が必要となるとともに、それら多くの機能を設定するための多くの設定機構が必要となっている。
【先行技術文献】
【特許文献】
【０００６】
【特許文献１】特開２０１３−１２７６７１号公報
【発明の概要】
【発明が解決しようとする課題】
【０００７】
本発明が解決しようとする課題は、簡単な構成の人感センサ、およびこの人感センサを用いた人感制御システムを提供することである。
【課題を解決するための手段】
【０００８】
実施形態の人感センサは、人感センサ部、スイッチ部、通信部および制御部を備える。人感センサ部は、人体を検知する。スイッチ部は、負荷の動作状態を切り換える。通信部は、無線によって通信する。制御部は、通信部によって人感センサ部の検知信号を送信させ、通信部によって受信する制御信号に応じてスイッチ部を切り換え動作させる。
【発明の効果】
【０００９】
実施形態の人感センサによれば、簡単な構成とすることが期待できる。
【図面の簡単な説明】
【００１０】
【図１】一実施形態を示す人感センサおよび制御装置を用いた人感制御システムのブロック図である。
【図２】同上人感センサおよび制御装置を用いた人感制御システムの動作機能を示す説明図である。
【図３】同上人感制御システムの他の動作機能を示す説明図である。
【図４】同上人感制御システムのさらに他の動作機能を示す説明図である。
【発明を実施するための形態】
【００１１】
以下、一実施形態を、図面を参照して説明する。
【００１２】
図２に人感制御システム10を示す。この人感制御システム10は、人体11を検知して負荷12の動作状態を自動的に制御するものである。本実施形態の人感制御システム10は、人体11を検知して負荷12である照明装置13を自動的に点灯、消灯させる点灯制御システムを示す。
【００１３】
人感制御システム10は、人感センサ16および制御装置17などを備えている。人感センサ16は、照明装置13とともに、例えば廊下などの天井面や壁面に設置される。
【００１４】
図１に示すように、人感センサ16は、人体（熱源）を検知する人感センサ部20、周囲の照度を検知する照度センサ部21、照明装置13の動作状態を切り換えるスイッチ部22、無線によって通信する通信部23、および人感センサ16を制御する制御部24などを備えている。
【００１５】
人感センサ部20は、人体から放出される赤外線を検出する赤外線センサなどが用いられる。人感センサ部20は、赤外線センサとレンズが組み合わされ、人体11を検知可能とする所定の検知範囲を有する。人感センサ部20は、所定の検知範囲に進入して移動する人体11を検知する。
【００１６】
照度センサ部21は、人感センサ16の周囲の照度を検知する。
【００１７】
スイッチ部22は、照明装置13への通電状態を切り換えるものである。スイッチ部22は、例えば、照明装置13の点灯、消灯を切り換える。なお、スイッチ部22は、照明装置13の調光度を切り換えるようにしてもよい。
【００１８】
通信部23は、例えば電波を媒体とする無線によって制御装置17と通信可能に接続されている。無線には、例えば、Bluetooth（登録商標）、Ｗｉ−Ｆｉ（登録商標）、Ｗｉ−ＳＵＮ（登録商標）などの通信方式が用いられている。
【００１９】
制御部24は、人感センサ部20から検知信号および照度センサ部21から検知信号を取得し、これら検知信号を通信部23によって制御装置17へ送信させ、また、通信部23によって受信する制御装置17からの制御信号に応じてスイッチ部22を切り換え動作させる。
【００２０】
このように構成された人感センサ16は、検知信号の送信、スイッチ部22の切り換え動作といった限られた機能のみを備え、設定機能やスイッチなどの設定機構などがなく、簡単な構成となっている。
【００２１】
また、制御装置17は、例えば、住宅内の家電機器を接続し、家電機器が消費する電力を管理したり、家電機器を遠隔操作するのに用いられるホームゲートウェイなどである。
【００２２】
制御装置17は、無線および有線によって通信する通信部30、制御装置17の動作機能および設定内容などを記憶する記憶部31、および人感センサ16および制御装置17を制御する制御部32などを備えている。
【００２３】
通信部30は、上述した通信方式の無線によって人感センサ16（通信部23）と通信可能に接続されている。また、通信部30は、例えば有線によってルーター33に接続され、このルーター33を介してインターネットに接続され、インターネットを通じてシステムの上位機器であるサーバーと通信可能とする。さらに、設定器としての端末34が、ルーター33を通じて通信部30に通信可能に接続され、あるいはルーター33を介さずに通信部30に通信可能に接続されている。端末34は、例えばスマートホンやタブレットあるいはパソコンなどが含まれ、設定を行うためのアプリケーションを備えている。
【００２４】
記憶部31は、人感センサ16からの検知信号の受信に応じて動作する複数の動作機能を記憶するとともに、端末34によって設定される動作機能や設定事項を記憶する。
【００２５】
制御部32は、端末34と通信し、端末34からの動作機能の選択設定、各種の設定事項の設定を受け付け、設定された動作機能および設定事項を記憶部31に記憶させる。そして、通信部30によって人感センサ16からの検知信号の受信時に、設定されている動作機能および設定事項に従って動作する。
【００２６】
動作機能は、例えば、在宅モード、不在モード、および安否確認モードなどが含まれる。これら各モードについて後述する。
【００２７】
設定事項は、各モード毎にあり、例えば、在宅モードでは、人体検知に応じた照明装置13の自動点灯と常時点灯と常時消灯のいずれかの設定、照明装置13が点灯する照度レベルの設定、および照明装置13の点灯時間の設定などが含まれる。不在モードでは、侵入者の検知時の通知方法の設定などが含まれる。安否確認モードでは、人感センサ16から検知信号を受信しなくなってから通知を行うまでの経過時間の設定、および通知方法の設定などが含まれる。
【００２８】
このように構成された制御装置17は、これまで人感センサ16側で備えていた動作機能および設定機能を、その人感センサ16側に代えて備えることで、人感センサ16を簡単な構成とするとともに、動作機能および設定機能の多様化および設定の容易化が可能となっている。
【００２９】
そして、図２に、制御装置17の動作機能として在宅モードが設定されているとともに設定事項で自動点灯が設定されている場合を示す。この在宅モードでは、人体検知に応じて照明装置13が自動的に点灯、消灯する。
【００３０】
端末34で、動作機能の選択設定、各種の設定事項を設定する（ステップＳ１）。ここでは、動作機能として在宅モードを設定する。
【００３１】
人感センサ16の検知範囲に人体11が進入し、移動することで、人感センサ部20が人体11を検知し（ステップＳ２）、人感センサ部20の検知信号を人感センサ16から制御装置17に送信する（ステップＳ３）。このとき、照度センサ部21で検知される照度の検知信号も一緒に人感センサ16から制御装置17に送信する。なお、照度センサ部21の検知信号は、人感センサ部20の検知信号と一緒に送信せず、定期的に送信していてもよい。
【００３２】
制御装置17は、人感センサ16からの人体11の検知信号を受信すると、人感センサ16からの照度の検知信号に基づいて照度レベルを確認し、この照度レベルが設定事項で設定されている設定レベルよりも低い場合には、制御信号としてスイッチオン信号（点灯信号）を人感センサ16に送信する（ステップＳ４）。なお、制御装置17は、照度レベルが設定事項で設定されている設定レベルよりも高い場合には、動作しないか、スイッチオン信号（点灯信号）以外の例えば現状維持の応答信号またはスイッチオフ信号（消灯信号）を人感センサ16に送信する。
【００３３】
人感センサ16は、制御装置17から制御信号としてスイッチオン信号（点灯信号）を受信すると、スイッチ部22をオン状態に切り換えて照明装置13に通電する（ステップＳ５）。これにより、照明装置13が点灯する。
【００３４】
制御装置17は、人感センサ16からの人体11の検知信号を受信してから（またはスイッチ本信号（点灯信号）を送信してから）点灯時間の計時を開始する。なお、制御装置17は、人感センサ16の検知範囲内での人体11の移動に伴い、人感センサ16からの人体11の検知信号を継続して受信する場合には、制御装置17は、人感センサ16からの人体11の検知信号の受信毎に点灯時間の計時を一旦リセットして新たに点灯時間の計時を開始する。
【００３５】
人感センサ16の検知範囲を人体11が通過し、人感センサ16で人体11を検知しなくなる。制御装置17は、計時している点灯時間が予め設定事項で設定されている設定時間に達すると、制御信号としてスイッチオフ信号（消灯信号）を人感センサ16に送信する。
【００３６】
人感センサ16は、制御装置17から制御信号としてスイッチオフ信号（消灯信号）を受信すると、スイッチ部22をオフ状態に切り換えて照明装置13への通電を遮断する。これにより、照明装置13が消灯する。
【００３７】
なお、在宅モードにおいて、設定事項として常時点灯または常時消灯が設定されている場合には、端末34によって在宅モードを設定することにより、照明装置13は常時点灯または常時消灯の状態となる。
【００３８】
次に、図３に、制御装置17の動作機能として不在モードが設定された場合を示す。不在モードは、留守中の侵入者の侵入を検知して通知するモードである。端末34の使用者が家を出る際などに、端末34で動作機能として不在モードを選択設定する。
【００３９】
人感センサ16の検知範囲内に侵入者（人体11）が進入し、移動することで、人感センサ部20が侵入者（人体11）を検知し（ステップＳ11）、人感センサ部20の検知信号を人感センサ16から制御装置17に送信する（ステップＳ12）。
【００４０】
制御装置17は、人感センサ16からの検知信号を受信すると、ルーター33を介したインターネット経由で、侵入者の存在を端末34に通知する（ステップＳ13）。通知は、端末34のアプリケーションに送信したり、メールで送信する。
【００４１】
端末34の使用者は、受けた通知を確認し、警察や警備会社などに通報するなどの早急な対応をとることができる。
【００４２】
次に、図４に、制御装置17の動作機能として安否確認モードを示す。安否確認モードは、例えば、端末34の使用者が、遠隔地に住む高齢者などの安否確認対象者の安否を確認するモードである。
【００４３】
人感センサ16の検知範囲に安否確認者（人体11）が進入し、移動することで、人感センサ部20が安否確認対象者（人体11）を検知し、人感センサ部20の検知信号を人感センサ16から制御装置17に送信する。
【００４４】
制御装置17は、人感センサ16からの検知信号を受信すると、経過時間を計時する。なお、制御装置17は、人感センサ16からの検知信号を受信する度に、経過時間の計時を一旦リセットして新たに経過時間の計時を開始する。
【００４５】
制御装置17は、人感センサ16からの検知信号の受信がないまま、計時している経過時間が予め設定事項で設定された設定時間に達すると、ルーター33を介したインターネット経由で、安否確認対象者の検知がないことを端末34に通知する（ステップＳ21）。通知は、端末34のアプリケーションに送信したり、メールで送信する。
【００４６】
端末34の使用者は、受けた通知を確認し、安否確認対象者に対する電話での連絡や安否確認対象者宅に行くなどの早急な対応をとることができる。
【００４７】
なお、在宅モードと安否確認モードは同時に設定可能とする。
【００４８】
以上のように構成された本実施形態の人感センサ16は、検知信号の送信、スイッチ部22の切り換え動作といった限られた機能のみを備え、これまで人感センサ16側で備えていた動作機能および設定機能を外部（制御装置17）に持たせることにより、設定機能や設定スイッチなどの設定機構が必要なくなるため、簡単な構成にでき、製品価格を安価にできる。
【００４９】
また、制御装置17は、これまで人感センサ16側で備えていた動作機能および設定機能を、その人感センサ16側に代えて備えることで、人感センサ16を簡単な構成とするとともに、動作機能および設定機能の多様化を図れ、さらに設定も容易にできる。
【００５０】
人感センサ16が天井などの高所に設置されている場合、人感センサ16に設定スイッチなどがあると、設定変更を容易に行うことができないが、本実施形態では制御装置17において端末34で設定することができるため、設定変更を容易に行うことができる。
【００５１】
また、人感センサ16の人感センサ部20の検知信号のみならず、照度センサ部21の検知信号も制御装置17に送信するため、制御装置17では照度レベルに応じた動作制御ができる。
【００５２】
なお、負荷12は、照明装置13に限らず、例えば換気扇などでもよい。
【００５３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５４】
10    人感制御システム
11    人体
12    負荷
16    人感センサ
17    制御装置
20    人感センサ部
21    照度センサ部
22    スイッチ部
23    通信部
24    制御部
【図１】
2019176204.tif 000003
【図２】
2019176204.tif 000004
【図３】
2019176204.tif 000005
【図４】
2019176204.tif 000006